【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  複数のデータ系列を、記録媒体に記録する制御を行う記録制御装置において、
前記複数のデータ系列それぞれから、前記記録媒体の物理的単位領域の整数倍のデータ量に対応したデータサイズのデータを抽出するデータ抽出手段と、
前記複数のデータ系列それぞれについての前記データサイズごとのデータを、そのデータの境界と、前記物理的単位領域の境界とが一致し、かつ前記複数のデータ系列それぞれについての前記データサイズごとのデータが周期的に配置されるように、前記記録媒体に記録する記録制御を行う記録制御手段と
を備えることを特徴とする記録制御装置。
【請求項２】  前記データサイズは、前記記録媒体の物理的単位領域の整数倍のデータ量であり、かつ所定の再生時間分の再生に必要なデータ量以下のデータ量である
ことを特徴とする請求項１に記載の記録制御装置。
【請求項３】  前記複数のデータ系列のうちの１のデータ系列における前記所定の再生時間は、他の１のデータ系列における前記所定の再生時間より長く、前記記録制御手段は、前記１のデータ系列のデータと、この１のデータ系列における前記所定の再生時間に対応したデータサイズである前記他の１のデータ系列のデータとが周期的に配置されるように前記記録媒体に記録する
ことを特徴とする請求項２に記載の記録制御装置。
【請求項４】  前記データ抽出手段が、前記データ系列について、前記データサイズごとのデータを抽出した結果残ったデータに、パディング用のパディングデータを付加することにより、前記記録媒体の物理的単位領域の整数倍のデータ量のデータを生成するパディングデータ付加手段をさらに備える
ことを特徴とする請求項１に記載の記録制御装置。
【請求項５】  前記複数のデータ系列のうちの１のデータ系列と、他の１のデータ系列とは、互いに関連するものである
ことを特徴とする請求項１に記載の記録制御装置。
【請求項６】  前記複数のデータ系列は、画像と、その画像に付随する音声との２つのデータ系列を、少なくとも含む
ことを特徴とする請求項５に記載の記録制御装置。
【請求項７】  前記複数のデータ系列は、所定の画像と、その所定の画像のデータ量を少なくした画像である少画像との２つデータ系列を、少なくとも含む
ことを特徴とする請求項５に記載の記録制御装置。
【請求項８】  前記所定の画像から、前記少画像を生成する画像生成手段をさらに備える
ことを特徴とする請求項７に記載の記録制御装置。
【請求項９】  前記複数のデータ系列は、画像と、その画像についてのメタデータとの２つのデータ系列を、少なくとも含む
ことを特徴とする請求項５に記載の記録制御装置。
【請求項１０】  前記複数のデータ系列は、
所定の画像のデータ系列と、
前記所定の画像に付随する音声のデータ系列と、
前記所定の画像のデータ量を少なくした画像である少画像のデータ系列と、
前記所定の画像についてのメタデータのデータ系列と
のうちの２以上を含み、
前記データサイズは、前記記録媒体の物理的単位領域の整数倍のデータ量であり、かつ所定の再生時間分の再生に必要なデータ量以下のデータ量であり、
前記所定の再生時間は、前記所定の画像のデータ系列または音声のデータ系列と、前記少画像のデータ系列またはメタデータのデータ系列とで異なる
ことを特徴とする請求項１に記載の記録制御装置。
【請求項１１】  前記物理的単位領域は、前記記録媒体について、データの読み書きを行うことができる１以上の最小の領域、またはECC(Error Correction Code：誤り訂正符号)処理が施される単位のデータが記録される１以上のECCブロックである
ことを特徴とする請求項１に記載の記録制御装置。
【請求項１２】  複数のデータ系列を、記録媒体に記録する制御を行う記録制御方法において、
前記複数のデータ系列それぞれから、前記記録媒体の物理的単位領域の整数倍のデータ量に対応したデータサイズのデータを抽出するデータ抽出ステップと、
前記複数のデータ系列それぞれについての前記データサイズごとのデータを、そのデータの境界と、前記物理的単位領域の境界とが一致し、かつ前記複数のデータ系列それぞれについての前記データサイズごとのデータが周期的に配置されるように、前記記録媒体に記録する記録制御を行う記録制御ステップと
を備えることを特徴とする記録制御方法。
【請求項１３】  複数のデータ系列を、記録媒体に記録する制御を行う記録制御処理を、コンピュータに行わせるプログラムにおいて、
前記複数のデータ系列それぞれから、前記記録媒体の物理的単位領域の整数倍のデータ量に対応したデータサイズのデータを抽出するデータ抽出ステップと、
前記複数のデータ系列それぞれについての前記データサイズごとのデータを、そのデータの境界と、前記物理的単位領域の境界とが一致し、かつ前記複数のデータ系列それぞれについての前記データサイズごとのデータが周期的に配置されるように、前記記録媒体に記録する記録制御を行う記録制御ステップと
を備えることを特徴とするプログラム。
【請求項１４】  複数のデータ系列が記録されている記録媒体において、
前記複数のデータ系列それぞれから抽出された、前記記録媒体の物理的単位領域の整数倍のデータ量に対応したデータサイズごとのデータを、そのデータの境界と、前記物理的単位領域の境界とが一致し、かつ前記複数のデータ系列それぞれについての前記データサイズごとのデータが周期的に配置されるように記録している
ことを特徴とする記録媒体。
【手続補正２】
【補正対象書類名】明細書
【補正対象項目名】０００８
【補正方法】変更
【補正の内容】
【０００８】
【課題を解決するための手段】
本発明の記録制御装置は、複数のデータ系列それぞれから、記録媒体の物理的単位領域の整数倍のデータ量に対応したデータサイズのデータを抽出するデータ抽出手段と、複数のデータ系列それぞれについてのデータサイズごとのデータを、そのデータの境界と、物理的単位領域の境界とが一致し、かつ複数のデータ系列それぞれについてのデータサイズごとのデータが周期的に配置されるように、記録媒体に記録する記録制御を行う記録制御手段とを備えることを特徴とする。
【手続補正３】
【補正対象書類名】明細書
【補正対象項目名】０００９
【補正方法】変更
【補正の内容】
【０００９】
本発明の記録制御方法は、複数のデータ系列それぞれから、記録媒体の物理的単位領域の整数倍のデータ量に対応したデータサイズのデータを抽出するデータ抽出ステップと、複数のデータ系列それぞれについてのデータサイズごとのデータを、そのデータの境界と、物理的単位領域の境界とが一致し、かつ複数のデータ系列それぞれについてのデータサイズごとのデータが周期的に配置されるように、記録媒体に記録する記録制御を行う記録制御ステップとを備えることを特徴とする。
【手続補正４】
【補正対象書類名】明細書
【補正対象項目名】００１０
【補正方法】変更
【補正の内容】
【００１０】
本発明のプログラムは、複数のデータ系列それぞれから、記録媒体の物理的単位領域の整数倍のデータ量に対応したデータサイズのデータを抽出するデータ抽出ステップと、複数のデータ系列それぞれについてのデータサイズごとのデータを、そのデータの境界と、物理的単位領域の境界とが一致し、かつ複数のデータ系列それぞれについてのデータサイズごとのデータが周期的に配置されるように、記録媒体に記録する記録制御を行う記録制御ステップとを備えることを特徴とする。
【手続補正５】
【補正対象書類名】明細書
【補正対象項目名】００１１
【補正方法】変更
【補正の内容】
【００１１】
本発明の記録媒体は、複数のデータ系列それぞれから抽出された、記録媒体の物理的単位領域の整数倍のデータ量に対応したデータサイズごとのデータを、そのデータの境界と、物理的単位領域の境界とが一致し、かつ複数のデータ系列それぞれについてのデータサイズごとのデータが周期的に配置されるように記録していることを特徴とする。
【手続補正６】
【補正対象書類名】明細書
【補正対象項目名】００１２
【補正方法】変更
【補正の内容】
【００１２】
本発明の記録制御装置および記録制御方法、並びにプログラムにおいては、複数のデータ系列それぞれから、記録媒体の物理的単位領域の整数倍のデータ量に対応したデータサイズのデータが抽出され、複数のデータ系列それぞれについてのデータサイズごとのデータが、そのデータの境界と、物理的単位領域の境界とが一致し、かつ複数のデータ系列それぞれについてのデータサイズごとのデータが周期的に配置されるように、記録媒体に記録される。
【手続補正７】
【補正対象書類名】明細書
【補正対象項目名】００１３
【補正方法】変更
【補正の内容】
【００１３】
本発明の記録媒体においては、複数のデータ系列それぞれから抽出された、記録媒体の物理的単位領域の整数倍のデータ量に対応したデータサイズごとのデータが、そのデータの境界と、物理的単位領域の境界とが一致し、かつ複数のデータ系列それぞれについてのデータサイズごとのデータが周期的に配置されるように記録されている。